(57)【要約】【課題】電子機器の使用状況に応じた音量の制御を行うことのできる携帯型電子機器および音声出力制御プログラムを提供する。【解決手段】携帯型電子機器１を所持した使用者の使用状況を使用状況取得部である照度センサ１２、接触センサ１３、およびＧＰＳ部１４３から所得するように構成され、取得された情報に基づいて携帯型電子機器１に内部音声出力器として設けられるスピーカ１１あるいはヘッドホン２等の外部音声出力器へ出力する音声の音量を制御するようにしたので、使用者が意図しない状況で携帯型電子機器１からヘッドホン２のプラグが抜けたとしても、周囲に対して不快な音声がスピーカ１１から出力されることがない。【選択図】図２
2008252527.tif 000002
【特許請求の範囲】
【請求項１】
機器本体に接続される外部音声出力器または前記機器本体に設けられる内部音声出力器に音声を出力する音声出力部と、
前記機器本体の使用状況に応じて前記音声の出力を制御するための情報を取得する使用状況取得部と、
前記外部音声出力器の前記機器本体との接続および分離を検出する制御部とを有し、
前記制御部は、前記機器本体と前記外部音声出力器との接続および分離のいずれかが検出されたとき、前記使用状況取得部で取得された情報に基づいて前記音声の音量を制御する携帯型電子機器。
【請求項２】
前記制御部は、前記外部音声出力器と前記機器本体との接続を検出したとき、前記音声の出力先を前記内部音声出力器から前記外部音声出力器に切り替えるとともに、前記外部音声出力器から出力する前記音声の前記音量を前記使用状況取得部で取得された情報に基づいて予め定められた音量に設定する請求項１に記載の携帯型電子機器。
【請求項３】
前記制御部は、前記外部音声出力器と前記機器本体との分離を検出したとき、前記音声の出力先を前記外部音声出力器から前記内部音声出力器に切り替えるとともに、前記外部音声出力器から出力する前記音声の前記音量を前記使用状況取得部で取得された情報に基づいて基準音量より小なる音量に設定する請求項１に記載の携帯型電子機器。
【請求項４】
前記制御部は、前記外部音声出力器と前記機器本体との分離を検出したとき、前記音声の出力先を前記外部音声出力器から前記内部音声出力器に切り替えるとともに、前記音声の前記音量を前記使用状況取得部で取得された情報に基づいてミュート状態に設定する請求項１に記載の携帯型電子機器。
【請求項５】
前記制御部は、前記外部音声出力器と前記機器本体との分離を検出したとき、前記音声の出力先を前記外部音声出力器から前記内部音声出力器に切り替えるとともに、前記音声の前記音量を前記使用状況取得部で取得された情報に基づいてミュート状態から一定の割合で大にする請求項１に記載の携帯型電子機器。
【請求項６】
前記制御部は、前記使用状況取得部で取得される前記情報に関連して予め定められた音量設定値があるとき、前記機器本体と前記外部音声出力器との分離に関係なく前記音量を前記音量設定値に設定する請求項１に記載の携帯型電子機器。
【請求項７】
前記使用状況取得部は、前記機器本体が置かれる環境の照度を検出する照度センサである請求項１に記載の携帯型電子機器。
【請求項８】
前記使用状況取得部は、前記機器本体の位置を検出するＧＰＳ（Global Positioning System）である請求項１に記載の携帯型電子機器。
【請求項９】
前記使用状況取得部は、前記機器本体と使用者との接触を検出する接触センサである請求項１に記載の携帯型電子機器。
【請求項１０】
音声の出力を制御するためにコンピュータを、
機器本体に接続される外部音声出力器または前記機器本体に設けられる内部音声出力器に前記音声を出力する音声出力部と、
前記機器本体の使用状況に応じて前記音声の出力を制御するための情報を取得する使用状況取得部と、
前記外部音声出力器の前記機器本体との接続および分離を検出し、前記機器本体と前記外部音声出力器との接続および分離のいずれかが検出されたとき、前記使用状況取得部で取得された情報に基づいて前記音声の音量を制御する制御部として機能させるための音声出力制御プログラム。
【発明の詳細な説明】
【技術分野】
【０００１】
本発明は、携帯型電子機器および音声出力制御プログラムに関する。
【背景技術】
【０００２】
従来の電子機器として、ヘッドホンやイヤホン等の音声出力装置の接続状態に応じて音声の切替を行うとともに、音量の制御を行うようにしたものがある（例えば、特許文献１参照）。
【０００３】
特許文献１に記載された電子機器は、筐体に音声出力装置接続用のコネクタと、コネクタと音声出力装置の接続を検出する制御装置とを有する。制御装置は、コネクタにヘッドホンやイヤホン等の音声出力装置が接続されたことを検出すると、音声の出力先を内蔵スピーカから音声出力装置に切り替えるとともに、音声出力装置から出力される音声の音量を変更する。
【０００４】
特許文献１に記載された電子機器によれば、音量が大に設定されている状態で音声出力装置が接続されたとしても、音量が制御されるので、使用者の耳に対して過度の負荷をかけることがない。
【０００５】
また、ヘッドホンやイヤホン等の音声出力装置から電子機器に内蔵されるスピーカに音声の出力先を切り替えた際にスピーカから出力される音量を制御するようにした電子機器がある（例えば、特許文献２参照。）。
【０００６】
特許文献２に記載された電子機器は、ヘッドホンのプラグとヘッドホンジャックとの接続状態を検出する検出部と、スピーカおよびヘッドホンから出力される音声の音量を制御する音量制御部とを有する。音量制御部は、ヘッドホンジャックからヘッドホンのプラグが抜けた際に音声の音量レベルが基準音量よりも大であった場合、スピーカに出力する音声の音量レベルを基準音量まで低下させた後に徐々に上昇させる。
【０００７】
特許文献２に記載された電子機器によれば、音量を大にしてヘッドホンで番組の音声を聴いていた場合に、ヘッドホンジャックからヘッドホンのプラグを引き抜いたとしても、スピーカから大音量の音声が出力されることがない。
【特許文献１】特開２００５−３４１１１１号公報
【特許文献２】特開２００６−１４０８６６号公報
【発明の開示】
【発明が解決しようとする課題】
【０００８】
しかし、特許文献１および２に記載された電子機器によると、電子機器と音声出力装置との接続状態に応じて音量の制御を行っているが、電子機器の使用環境に応じて音量を詳細に設定することができないという問題がある。携行性の良い小型の電子機器の場合、屋内および屋外を含めて様々な状況での使用が想定される。使用者の意思に反してヘッドホンジャックからヘッドホンのプラグが思いがけなく抜けてスピーカから周囲に音声が出力されることもありえるが、状況によっては好ましくない場合がある。
【０００９】
従って、本発明の目的は、電子機器の使用状況に応じた音量の制御を行うことのできる携帯型電子機器および音声出力制御プログラムを提供することにある。
【課題を解決するための手段】
【００１０】
本発明は上記目的を達成するため、機器本体に接続される外部音声出力器または前記機器本体に設けられる内部音声出力器に音声を出力する音声出力部と、前記機器本体の使用状況に応じて前記音声の出力を制御するための情報を取得する使用状況取得部と、前記外部音声出力器の前記機器本体との接続および分離を検出する制御部とを有し、前記制御部は、前記機器本体と前記外部音声出力器との接続および分離のいずれかが検出されたとき、前記使用状況取得部で取得された情報に基づいて前記音声の音量を制御する携帯型電子機器を提供する。
【００１１】
また、本発明は上記目的を達成するため、音声の出力を制御するためにコンピュータを、機器本体に接続される外部音声出力器または前記機器本体に設けられる内部音声出力器に前記音声を出力する音声出力部と、前記機器本体の使用状況に応じて前記音声の出力を制御するための情報を取得する使用状況取得部と、前記外部音声出力器の前記機器本体との接続および分離を検出し、前記機器本体と前記外部音声出力器との接続および分離のいずれかが検出されたとき、前記使用状況取得部で取得された情報に基づいて前記音声の音量を制御する制御部として機能させるための音声出力制御プログラムを提供する。
【発明の効果】
【００１２】
本発明によれば、電子機器の使用状況に応じた音量の制御を行うことができる。
【発明を実施するための最良の形態】
【００１３】
以下に、本発明の携帯型電子機器および音声出力制御プログラムの実施の形態を、図面を参照して詳細に説明する。
【００１４】
〔第１の実施の形態〕
（撮像装置の構成）
図１は、本発明の実施の形態に関する携帯型電子機器を示し、（ａ）は機器本体の上面図、（ｂ）は側面図、（ｃ）は正面図である。
【００１５】
この携帯型電子機器１は、内部にＣＰＵ(Central Processing Unit)、携帯機器を受信対象とする地上デジタルテレビジョン放送であるワンセグ放送を受信するチューナ、小型のＨＤＤ(Hard Disc Drive)等の電子部品を有して携行可能な大きさ・重量で構成されており、正面に文字、画像等の画像や、ワンセグ放送の映像を表示する表示部１０と、音声を出力する内部音声出力器としてのスピーカ１１と、携帯型電子機器１の周囲の照度を検出する照度センサ１２と、携帯型電子機器１の機器本体１Ａの表面に設けられて使用者との接触状態を検出する接触センサ１３と、携帯型電子機器１を操作するための操作スイッチ群とを有する。操作スイッチ群の一部は携帯型電子機器１の上面に設けられる。
【００１６】
操作スイッチ群は、携帯型電子機器１の正面にスタート画面を表示させるスタートスイッチ１２０と、一操作前に表示された画面を表示させるバックスイッチ１２１と、４方向に操作可能に設けられて画面上に表示されたメニュー，項目を選択するナビゲーションスティック１２２と、ナビゲーションスティック１２２の中心部に設けられて選択されたメニュー，項目等の対象についての決定操作を行う決定スイッチ１２３と、ワンセグ放送の受信起動やクイックメニューを表示させるクイックスイッチ１２４と、音量の調整操作を行うボリュームスイッチ１２５とを有する。
【００１７】
また、携帯型電子機器１の上面には、電源の操作およびスイッチロックを行うための電源スイッチ１２６と、再生・一時停止スイッチ１２７と、スキップスイッチ１２８Ａおよび１２８Ｂとが設けられている。
【００１８】
また、携帯型電子機器１の側面（正面から見て左側面）には、伸縮可能に設けられるアンテナ１３０と、ＵＳＢ（Universal Serial Bus）端子１３１と、外部モニタ等の機器との接続を行うための拡張コネクタ１３２と、外部音声出力器としてのイヤホンやヘッドホンを接続するためのヘッドホンジャック１３３と、外部から電源を供給するための電源端子１３４と有する。
【００１９】
表示部１０は、カラー画面表示が可能なカラー液晶パネルと、パネル裏面に設けられて液晶表示面の透過照明を行うバックライトユニットとを有する。バックライトユニットは、後述する照度センサ１２で得られる照度に応じた電気信号によって明るさを調整可能に設けられている。
【００２０】
照度センサ１２は、センサの受光面に照射される光量に応じた電気信号を出力する。このような照度センサ１２として、フォトトランジスタやフォトダイオードを用いることができる。本実施の形態では、低価格で出力電流が大であるフォトトランジスタを用いている。
【００２１】
接触センサ１３は、センサ端子１３Ａおよび１３Ｂとの間の導通に基づいて携帯型電子機器１の機器本体１Ａに使用者が触れているか否かを検出するものであり、本実施の形態ではセンサ表面への接触によりＧＮＤと電気端子間との間に導通を生じるタッチセンサを用いている。
【００２２】
図２は、本発明の実施の形態に関する携帯型電子機器を概略的に示すブロック図である。
【００２３】
携帯型電子機器１は、アンテナ１３０を介して受信した放送データの電波からＴＳ（Transport Stream）形式のデジタルデータに変換するチューナ１４１と、チューナ１４１から入力するＴＳ形式データを解析して不要なデータ部分の除去やＰＣＲ（Program Clock Reference）取得等の処理を行うプログラム可能な論理回路部１４２と、携帯型電子機器１の使用状況についての情報としてＧＰＳ（Global Positioning System）に基づく位置検出情報を出力するＧＰＳ部１４３と、携帯型電子機器１の使用状況についての情報として照度に応じた照度信号を出力する照度センサ１２と、携帯型電子機器１の使用状況についての情報として機器本体１Ａと人体の接触状態に基づく電気信号を出力する接触センサ１３と、外部機器との接続を行うＵＳＢ端子部やビデオ端子部等の端子であるＩ／Ｆ部１４４と、ＴＳ形式データをＡｕｄｉｏ，Ｖｉｄｅｏ等のデータに分離し、デコードすることにより映像信号やグラフィックデータを生成するＭＰＥＧデコーダ１４５と、Ａｕｄｉｏ，Ｖｉｄｅｏのデジタル音声信号をアナログ音声成分に変換するデジタル／アナログコンバータである音声出力部１４６と、携帯型電子機器１の内部時計である時計部１４７と、携帯型電子機器１のプログラム、Ａｕｄｉｏ，Ｖｉｄｅｏ等のデータや、ヘッドホン音量，スピーカ音量についての設定値を格納するハードディスクドライブ１４８と、一時記憶部として設けられるＳＤＲＡＭ等のメモリ１４９と、ＭＰＥＧデコーダ１４５で得られた映像信号やグラフィックデータを合成して表示部１０に出力するとともに、表示画面の明るさやコントラストの調整を行うグラフィックコントローラ１５０と、携帯型電子機器１の各部を制御するとともに、ＧＰＳ部１４３，照度センサ１２，および接触センサ１３の出力信号を使用状況に関しての情報として監視して音声出力部１４６から出力される音声信号の音量を制御する制御部１５１とから構成される。
【００２４】
（ソフトウェアの構成）
図３は、本発明の実施の形態におけるソフトウェアと各デバイスとの体系を示す概略図である。
【００２５】
ソフトウェアは、アプリケーション群２００と、オペレーティングシステム２０１と、ドライバ群２０２とからなり、各ドライバに対応したデバイス群２０３が接続されている。
【００２６】
アプリケーション群２００は、ワンセグ放送の受信および画面表示を処理するＴＶビューワ２１０と、衛星からの電波を受信して携帯型電子機器１の位置を把握し、画面表示させるＧＰＳ２１１と、各種ゲームソフトを実行可能なゲーム２１２と、音声ファイルおよび映像ファイルを再生および記録可能なメディアプレイヤ２１３とを有する。
【００２７】
オペレーティングシステム２０１は、設定および使用者によって選択された機能に基づいてアプリケーション群２００とドライバ群２０２とを制御する。
【００２８】
ドライバ群２０２は、ＧＰＳ部１４３を駆動するためのＧＰＳドライバ２２０と、チューナ１４１を駆動するためのチューナドライバ２２１と、ＵＳＢ端子部２２２を駆動するためのＵＳＢドライバ２２３と、ＬＣＤ（Liquid Crystal Display）コントローラ２２４，バックライト２２５を駆動するためのディスプレイドライバ２２６と、携帯型電子機器１に設けられる操作スイッチ群２２７を管理するキードライバ２２８と、音声出力部１４６を駆動するためのオーディオドライバ２２９と、照度センサ１２，接触センサ１３を駆動するためのセンサドライバ２３０と、時計部１４７を駆動するためのクロックドライバ２３１とを有する。
【００２９】
図４は、携帯型電子機器の第１の使用状況を示す図である。
【００３０】
携帯型電子機器１は、図示されるようにバッグ２０に収容された状態であっても、外部音声出力器として接続されたヘッドホン２によって音声を聞くことができる。バッグ２０の内部はバッグ２０の外部に比べて暗いことから、受光光量に基づく出力信号のレベルは明るい場所での出力信号のレベルと比べて小になる。照度センサ１２での受光光量があるレベルより小になったときに、音量を通常より小にするか無音量にするように設定することで、携帯型電子機器１とヘッドホン２とが意思に反して分離しても不快なスピーカ出力が生じることを防ぐことが可能である。
【００３１】
なお、携帯型電子機器１は、上記したバッグ２０等の遮光体に収容された状況によらず、例えば、昼夜での照度の差によってスピーカ１１の音量を制御するように設定することも可能である。
【００３２】
図５は、携帯型電子機器の第２の使用状況を示す図である。
【００３３】
携帯型電子機器１は、図示されるように使用者が手３０で機器本体１Ａを保持したときに接触センサ１３が手３０の一部と接触するように構成されている。接触センサ１３は、手３０との接触によってセンサ端子１３Ａと１３Ｂとが導通し、そのことによって携帯型電子機器１に内蔵されたセンサ回路に微弱電流が流れるように構成される。センサ回路は、微弱電流に基づいて携帯型電子機器１と使用者との接触を検出する。
【００３４】
図６（ａ）および（ｂ）は、携帯型電子機器の第３の使用状況を示す図である。
【００３５】
携帯型電子機器１は、ＧＰＳ機能を有効とすることにより、位置検出情報に基づく音量の調整を行うことができる。例えば、使用者３１が所持する携帯型電子機器１が予め登録されたエリアにあるとＧＰＳの位置情報に基づいて判断されたとき、音声出力部１４６はスピーカ１１の音声出力を無音量にすることができる。
【００３６】
図６（ａ）は、携帯型電子機器１が衛星１４から受信した電波１５に基づいて無音量とすべきエリア（無音エリア１６）にあると判断した場合である。このような設定が予めなされているとき、ヘッドホンジャック１３３とヘッドホン２との分離が検出されると、音声出力部１４６はスピーカ１１からの音声出力を無音量にするように制御する。
【００３７】
図６（ｂ）は、携帯型電子機器１が衛星１４から受信した電波１５に基づいて通常音量エリア１７にあると判断した場合である。このような設定が予めなされているとき、ヘッドホンジャック１３３とヘッドホン２との分離が検出されると、音声出力部１４６はスピーカ１１からの音声出力を予め定められた音量にするように制御する。
【００３８】
図７は、携帯型電子機器の音量設定について示す図である。なお、以下の説明では、携帯型電子機器１で再生可能な音量レベルを１０段階に設定している。
【００３９】
携帯型電子機器１は、音声出力先毎に量の設定を設定することができる。図示するように時刻ｔ１において、携帯型電子機器１のヘッドホンジャック１３３にヘッドホン２が挿入されると、音声出力部１４６はスピーカ１１からヘッドホン２への音声出力の切替えを行うとともに音量の変更を行う。この場合は、スピーカ音量７からヘッドホン音量５に音量を変更している。
【００４０】
図８から図１０は、携帯型電子機器の他の音量設定について示す図である。
【００４１】
携帯型電子機器１は、図示するように時刻ｔ１において携帯型電子機器１のヘッドホンジャック１３３とヘッドホン２との分離が検出されると、音声出力部１４６でヘッドホン２からスピーカ１１への音声出力の切替えを行うとともに音量の変更を行う。
【００４２】
図８（ａ）は、予め基準音量が設定されている場合の音量の変更を示す図である。基準音量は、大音量の出力によってスピーカ１１を損傷しないように設けられる音量であり、ここでは音量４に設定されている。図示するように時刻ｔ１において、携帯型電子機器１のヘッドホンジャック１３３とヘッドホン２との分離が検出されると、音声出力部１４６はヘッドホン２からスピーカ１１への音声出力の切替えを行うとともに、音量７から基準音量より１音量小である音量３に音量を変更している。
【００４３】
図８（ｂ）は、ミュート設定されている場合の音量の変更を示す図である。この設定を有効にすると無音量に設定される。図示するように時刻ｔ１において、携帯型電子機器１のヘッドホンジャック１３３とヘッドホン２との分離が検出されると、音声出力部１４６はヘッドホン２からスピーカ１１への音声出力の切替えを行うとともに、ミュート設定を有効にして、音量７から無音量に音量を変更している。
【００４４】
図９（ａ）は、無音量とした後にフェードインするように設定されている場合の音量の変更を示す図である。この設定を有効にすると無音量とした後に無音量とする前の音量まで徐々に音量を大にするフェードインスピーカ出力に設定される。図示するように時刻ｔ１において、携帯型電子機器１のヘッドホンジャック１３３とヘッドホン２との分離が検出されると、音声出力部１４６はヘッドホン２からスピーカ１１への音声出力の切替えを行うとともに、音量７から無音量まで音量を下げた後に音量を徐々に大にしており、音量７に達した時刻ｔ２で音量を固定している。
【００４５】
図９（ｂ）は、音量を一定とするように設定されている場合の音量を示す図である。この設定を有効にすると携帯型電子機器１のヘッドホンジャック１３３とヘッドホン２との接続・分離にかかわらず一定の音量で出力される。ここで、予め音量７に設定されている場合、図示するように時刻ｔ１において、携帯型電子機器１のヘッドホンジャック１３３とヘッドホン２との分離が検出されても、音声出力部１４６はヘッドホン２からスピーカ１１への音声出力の切替えを行うだけで音量の変更は行わない。
【００４６】
図１０は、音量を時間によって変更するように設定されている場合の音量を示す図である。この設定を有効にすると時間によって音量を変えることができる。ここでは、０：００から８：００の間は無音量に、８：００から２１：００の間は音量５に、２１：００から０：００は無音量に設定されている。
【００４７】
図１１は、携帯型電子機器の使用状況を取得するデバイスで得られた使用状況データの優先度について示すテーブルの図である。
【００４８】
本実施の形態では、ＧＰＳ部１４３，照度センサ１２，および接触センサ１３によって取得された使用状況データに基づいてスピーカ１１あるいはヘッドホン２へ出力する音声の音量を制御している。携帯型電子機器１の制御部１５１は、使用状況を取得する複数のデバイスが同時に使用される状況では、取得された使用状況データについて予め設定された優先度に基づく音量調整の判断を行う。このような優先度について設定されたテーブルは、ハードディスクドライブ１４８に格納される。
【００４９】
図１１（ａ）は、ＧＰＳ部と接触センサを起動させている状況（有効）での使用状況データの優先度を示すテーブルの図である。ここでは、ＧＰＳ部１４３で無音エリアに居ると判断され、スピーカ１１からの音声出力が無音量に設定されており、かつ携帯型電子機器１の機器本体１Ａに使用者の手が触れていることが接触センサ１３の出力信号で認識されているとする。携帯型電子機器１に予め設定された優先度によると、制御部１５１は、接触センサ１３とＧＰＳ部１４３の出力信号とが同時に入力する場合には、接触センサ１３の出力信号を優先する。
【００５０】
また、制御部１５１は、接触センサ１３が有効であっても使用者の手が触れていない場合には、ＧＰＳ部１４３の出力信号に基づく音量調整の設定を行う。
【００５１】
図１１（ｂ）は、ＧＰＳ部と照度センサを起動させている状況（有効）での使用状況データの優先度を示すテーブルの図である。ここでは、ＧＰＳ部１４３で無音エリアに居ると判断され、スピーカ１１からの音声出力が無音量に設定されており、かつ携帯型電子機器１の機器本体１Ａが遮光体で遮光されていることが照度センサ１２の出力信号で認識されているとする。携帯型電子機器１に予め設定された優先度によると、制御部１５１は、照度センサ１２とＧＰＳ部１４３の出力信号とが同時に入力する場合には、ＧＰＳ部１４３の出力信号を優先する。
【００５２】
また、制御部１５１は、ＧＰＳ部１４３が有効であっても電波が届かないといった状況での使用に際しては、照度センサ１２の出力信号に基づく音量調整の設定を行う。
【００５３】
図１２は、携帯型電子機器で再生されるコンテンツの種類に応じた音量設定を示すテーブルの図である。
【００５４】
携帯型電子機器１では、ヘッドホンジャック１３３からヘッドホン２が外れたときにスピーカ１１から出力される音声の音量について、予めコンテンツ毎に設定しておくことが可能である。このようなコンテンツ毎の音量の設定については、コンテンツデータファイルの拡張子について予め音量の設定を行っておく。音量の設定値はハードディスクドライブ１４８に格納される。制御部１５１は、コンテンツデータファイルの拡張子を参照して再生音量を決定する。
【００５５】
図１２では、動画データの再生音量について音量３、音楽データの再生音量について音量２、ＴＶ映像の再生音量について音量４に設定しているが、これに限定されるものではない。
【００５６】
図１３は、本発明の実施の形態における携帯型電子機器の動作を示す第１のフローチャートである。以下に、携帯型電子機器の動作について、各図面を参照しつつ説明する。
【００５７】
まず、携帯型電子機器１のスピーカ１１に音声信号を出力させる（Ｓ１）。ここでは、音楽データを再生させるものとする。音楽データの再生中にヘッドホンジャック１３３にヘッドホン２のプラグが挿入されると（Ｓ２：ＹＥＳ）、制御部１５１はハードディスクドライブ１４８を参照し、ヘッドホン音量についての設定値の有無を確認する。ヘッドホン音量の設定値がハードディスクドライブ１４８に格納されているとき（Ｓ３：ＹＥＳ）、制御部１５１は設定された音量で音声出力を行うように音声出力部１４６に制御信号を出力する。音声出力部１４６は設定された音量でヘッドホン２に音声を出力する（Ｓ４）。
【００５８】
また、制御部１５１は、ヘッドホン音量の設定値がハードディスクドライブ１４８に格納されていないとき（Ｓ３：ＮＯ）、スピーカ１１に出力していた音量と同じ音量で音声出力を行うように音声出力部１４６に制御信号を出力する。音声出力部１４６はスピーカ１１と同じ音量でヘッドホン２に音声を出力する（Ｓ５）。
【００５９】
図１４は、本発明の実施の形態における携帯型電子機器の動作を示す第２のフローチャートである。
【００６０】
まず、携帯型電子機器１のヘッドホン２に音声信号を出力させる（Ｓ１１）。ここでは、音楽データを再生させるものとする。音楽データの再生中にヘッドホンジャック１３３からヘッドホン２のプラグが抜けると（Ｓ１２：ＹＥＳ）、制御部１５１はハードディスクドライブ１４８を参照し、スピーカ音量についての設定値の有無を確認する。スピーカ音量の設定値がハードディスクドライブ１４８に格納されているとき（Ｓ１３：ＹＥＳ）、制御部１５１は設定された音量で音声出力を行うように音声出力部１４６に制御信号を出力する。音声出力部１４６は設定された音量でスピーカ１１に音声を出力する（Ｓ１４）。
【００６１】
制御部１５１は、設定値のスピーカ音量がヘッドホン音量より小なる場合であって、スピーカ１１への音声出力切り替え後に使用者によっていずれかのスイッチが操作されたときは（Ｓ１５：ＹＥＳ）、フェードインスピーカ出力でスピーカ１１の音量をヘッドホン音量と同じ音量となるまで増大させる（Ｓ１６）。使用者によるスイッチ操作がない状態では、設定された音量でスピーカ１１に音声を出力する（Ｓ１５：ＮＯ）。
【００６２】
また、制御部１５１は、スピーカ音量の設定値がハードディスクドライブ１４８に格納されていないとき（Ｓ１３：ＮＯ）、ハードディスクドライブ１４８にフェードインスピーカ出力の設定の有無を確認する。フェードインスピーカ出力の設定がハードディスクドライブ１４８に格納されているとき（Ｓ１７：ＹＥＳ）、フェードインスピーカ出力でスピーカ１１の音量をヘッドホン音量と同じ音量となるまで増大させる（Ｓ１６）。
【００６３】
また、制御部１５１は、フェードインスピーカ出力の設定がハードディスクドライブ１４８に格納されていないとき（Ｓ１７：ＮＯ）、ヘッドホン音量と同じ音量で音声出力を行うように音声出力部１４６に制御信号を出力する。音声出力部１４６はヘッドホン音量と同じ音量でスピーカ１１に音声を出力する（Ｓ１８）。
【００６４】
（本発明の実施の形態の効果）
本発明の実施の形態によると、携帯型電子機器１を所持した使用者の使用状況を使用状況取得部である照度センサ１２、接触センサ１３、およびＧＰＳ部１４３から所得するように構成され、取得された情報に基づいて携帯型電子機器１に内部音声出力器として設けられるスピーカ１１あるいはヘッドホン２等の外部音声出力器へ出力する音声の音量を制御するようにしたので、使用者が意図しない状況で携帯型電子機器１からヘッドホン２のプラグが抜けたとしても、周囲に対して不快な音声がスピーカ１１から出力されることがない。
【００６５】
また、上記した実施の形態で使用状況取得部として説明した照度センサ１２、接触センサ１３、およびＧＰＳ部１４３から取得された携帯型電子機器１の使用状況に関する情報に応じて音量の制御内容を予め設定しておくことで、携帯型電子機器１の様々な使用環境に対応した音量の制御が可能となる。
【００６６】
なお、上記した携帯型電子機器１の音声出力制御機能は、機器本体１Ａ内に予め組み込まれた機能として使用するだけでなく、使用者の選択に基づいて音声出力制御プログラムとして携帯型電子機器１にダウンロードすることにより導入することも可能である。
【図面の簡単な説明】
【００６７】
【図１】図１は、本発明の実施の形態に関する携帯型電子機器を示し、（ａ）は機器本体の上面図、（ｂ）は側面図、（ｃ）は正面図である。
【図２】図２は、本発明の実施の形態に関する携帯型電子機器を概略的に示すブロック図である。
【図３】図３は、本発明の実施の形態におけるソフトウェアと各デバイスとの体系を示す概略図である。
【図４】図４は、携帯型電子機器の第１の使用状況を示す図である。
【図５】図５は、携帯型電子機器の第２の使用状況を示す図である。
【図６】図６（ａ）および（ｂ）は、携帯型電子機器の第３の使用状況を示す図である。
【図７】図７は、携帯型電子機器の音量設定について示す図である。
【図８】図８（ａ）は、予め基準音量が設定されている場合の音量の変更を示す図である。図８（ｂ）は、ミュート設定されている場合の音量の変更を示す図である。
【図９】図９（ａ）は、無音量とした後にフェードインするように設定されている場合の音量の変更を示す図である。図９（ｂ）は、音量を一定とするように設定されている場合の音量を示す図である。
【図１０】図１０は、音量を時間によって変更するように設定されている場合の音量を示す図である。
【図１１】図１１（ａ）は、ＧＰＳ部と接触センサを起動させている状況（有効）での使用状況データの優先度を示すテーブルの図である。図１１（ｂ）は、ＧＰＳ部と照度センサを起動させている状況（有効）での使用状況データの優先度を示すテーブルの図である。
【図１２】図１２は、携帯型電子機器で再生されるコンテンツの種類に応じた音量設定を示すテーブルの図である。
【図１３】図１３は、本発明の実施の形態における携帯型電子機器の動作を示す第１のフローチャートである。
【図１４】図１４は、本発明の実施の形態における携帯型電子機器の動作を示す第２のフローチャートである。
【符号の説明】
【００６８】
１…携帯型電子機器、１Ａ…機器本体、２…ヘッドホン、１０…表示部、１１…スピーカ、１２…照度センサ、１３…接触センサ、１３Ａ，１３Ｂ…センサ端子、１４…衛星、１５…電波、１６…無音エリア、１７…通常音量エリア、２０…バッグ、３０…手、３１…使用者、１２０…スタートスイッチ、１２１…バックスイッチ、１２２…ナビゲーションスティック、１２３…決定スイッチ、１２４…クイックスイッチ、１２５…ボリュームスイッチ、１２６…電源スイッチ、１２７…再生・一時停止スイッチ、１２８Ａ，１２８Ｂ…スキップスイッチ、１３０…アンテナ、１３１…ＵＳＢ端子、１３２…拡張コネクタ、１３３…ヘッドホンジャック、１３４…電源端子、１４０…アンテナ、１４１…チューナ、１４２…論理回路部、１４３…ＧＰＳ部、１４４…Ｉ／Ｆ部、１４５…ＭＰＥＧデコーダ、１４６…音声出力部、１４７…時計部、１４８…ハードディスクドライブ、１４９…メモリ、１５０…グラフィックコントローラ、１５１…制御部、２００…アプリケーション群、２０１…オペレーティングシステム、２０２…ドライバ群、２０３…デバイス群、２１０…ＴＶビューワ、２１１…ＧＰＳ、２１２…ゲーム、２１３…メディアプレイヤ、２２０…ＧＰＳドライバ、２２１…チューナドライバ、２２２…ＵＳＢ端子部、２２３…ＵＳＢドライバ、２２４…ＬＣＤコントローラ、２２５…バックライト、２２６…ディスプレイドライバ、２２７…操作スイッチ群、２２８…キードライバ、２２９…オーディオドライバ、２３０…センサドライバ、２３１…クロックドライバ
【図１】
2008252527.tif 000003
【図２】
2008252527.tif 000004
【図３】
2008252527.tif 000005
【図４】
2008252527.tif 000006
【図５】
2008252527.tif 000007
【図６】
2008252527.tif 000008
【図７】
2008252527.tif 000009
【図８】
2008252527.tif 000010
【図９】
2008252527.tif 000011
【図１０】
2008252527.tif 000012
【図１１】
2008252527.tif 000013
【図１２】
2008252527.tif 000014
【図１３】
2008252527.tif 000015
【図１４】
2008252527.tif 000016